Podtech/llm-jp-corpus-v4-ja_patent huggingface dataset:
(57)【要約】      （修正有）【課題】魚信が得やすく、収納時にかさ張るという欠点をなくした釣り用天秤を提供する。【解決手段】道糸１に直結する主軸２とハリス用支軸３をＬ字形に一体化し錘６を別体にする。錘６からは主軸２方向に伸びる鋼線７を出して先端に環８を構成させる。該鋼線７を芯にして遊動が可能なようにＬ字形の折れ曲がり部に主軸２方向を芯とするようにコイル５を形成させ、該コイル５と鋼線７先端の環８によりＬ字形体は鋼線上を抜け出すことなく遊動可能にする。Ｌ字形体の道糸１と直結する主軸２は短くして先端に道糸１接続用の環を形成させ、ハリス側支軸３は充分に長くして先端にハリス接続用の環を形成させる。さらに、錘６から出る鋼線の錘側に近い部分を該コイル５が通過できる程度の曲率でコの字形又はフの字形に曲げることにより、収納時にはハリス側支軸３を錘側鋼線７の主軸と略平行にして幅狭く収納できる。【選択図】図１
2007044021.tif 000002
【特許請求の範囲】
【請求項１】
鋼線の先端に環又は緩衝体が付く場合があるストッパを持ち、他端は錘と一体を成す錘側と、鋼線の両端に環を持ち、ハリス接続側が道糸接続側より３倍以上長いＬ字形の天秤側より成り、該Ｌ字形の折り曲がり部は錘側の鋼線方向を芯とするように一巻または複数巻きのコイル状を成して錘側の鋼線に遊動結合する。これにより錘側は道糸とは間接接続となり、ハリス側から道糸接続側へは直接接続となって魚信が釣人に伝わり易くした天秤装置。
【請求項２】
請求項１の天秤装置において、錘側の鋼線の錘側に近い部分を、天秤側Ｌ字形鋼線のコイル状部が通過できる程度の曲率で、コの字形又はフの字形に曲げることにより、収納時天秤側のハリス接続側鋼線を錘側鋼線と略平行にして収納でき、かさ張らずに収納可能としたもの。
【発明の詳細な説明】
【技術分野】
【０００１】  本発明は、釣り用天秤に係わり、魚信を敏感に感じて、折りたたみ収納が可能な釣り用天秤に関する。
【背景技術】
【０００２】  釣り用具として釣り用天秤は広く知られているが、釣り用天秤の基本的な構造は道糸から錘に至るラインの錘近くで鋼線をほぼ直角方向に張り出させて、その先端から釣針の付いたハリスを垂らすもので、投げ釣り時にハリス糸の道糸への絡まりを防ぐのを主目的としたものである。しかし直角方向に張り出させたことで魚信が得にくく、かつ収納時にかさ張るという不具合が生じている。これに対し、魚信を得易くするために公開実用新案公報昭６４−３２０６７のように主軸とハリス用支軸を一体化して錘を別体として繋ぐ方法があるが、錘が安定しないことと、収納時にかさ張る不具合がある。収納時にかさ張るのを防ぐためには実用新案公報昭５０−３３５０３のように支軸を錘から引き抜いて畳む方法があるが手間が掛かることと錘を介しているため魚信に問題があった。
【特許文献１】実開昭６４−３２０６７
【特許文献２】実公昭５０−３３５０３
【発明が解決しようとする課題】
【０００３】  釣り用天秤として、投げ釣り時にハリス糸の道糸への絡まりを防ぐためにハリス用支軸を、錘に至る主軸に対しほぼ直角方向に張り出させることに変わりはないが、魚信を得易くして、なおかつ収納時にかさ張るのを防ぎ容易に収納できるようにする必要がある。
【課題を解決するための手段】
【０００４】  魚信を得やすくするために、道糸と直結する主軸とハリス用支軸をＬ字形に一体化し、錘を別体とするが、該錘からは主軸方向に伸びる比較的長い鋼線を出して先端には環または場合により緩衝体が付くストッパを構成させる。該錘から主軸方向に伸びる鋼線を芯にして遊動が可能なように、該Ｌ字形の折れ曲がり部に主軸方向を芯とする一巻または複数巻きのコイルを形成させる。該コイルによりＬ字形体は錘から出る鋼線の先端の環またはストッパと錘間を遊動すれども抜け出すことはない。Ｌ字形体の道糸と直結する主軸は短くして先端には道糸接続用の環を形成させ、ハリス側支軸は充分に長くして先端にハリス接続用の環を形成させる。さらに錘から出る鋼線の錘側に近い部分を該コイルが通過できる程度の曲率でコの字形又はフの字形に曲げることにより、収納時にはハリス側支軸が錘側鋼線の主軸と略平行にして収納できるようにする。
【発明の効果】
【０００５】  本発明により、釣り用天秤において道糸とハリスがＬ字形に一体化し、錘側は遊動支持となるために魚信が得易く、なおかつ錘から一体的に出ている鋼線の錘に近い部分をコの字形又はフの字形に曲げて、ここにＬ字状体のコイル部を導くことにより、収納時にかさ張るのを防ぎ容易に収納が可能になる。なお、錘から一体的に出ている鋼線の先端ストッパ部に緩衝体を設置すれば魚信はさらに向上する。
【発明を実施するための最良の形態】
【０００６】  図１に本発明の釣り用天秤の実施例を示す。図において１は道糸、２はＬ字形体の道糸側主軸、３はＬ字形体のハリス側支軸、４はハリス、５はＬ字形体のコイル部を示す。６は錘、７は錘から主軸方向に伸びる鋼線で、５のコイル部は該鋼線を芯として遊動可能になっている。８は鋼線７の先端にある環またはストッパで、コイル部の遊動ストッパであると共に錘を支えるものである。なお図１は環の場合を示している。９は鋼線７の一部をコの字形またはフの字形に曲げたもので、ここにＬ字形体のコイル部を導き、Ｌ字形体のハリス側支軸３を錘側鋼線と略平行にして収納状態にする。
図２は本発明の釣り用天秤の収納状態を示す。図においてＬ字形体のコイル部５は、錘から出る鋼線７を伝って該鋼線の一部にあるコの字形又はフの字形部９に導かれ、Ｌ字形体のハリス側支軸３が錘側鋼線７と略平行にして収納状態になったことを示している。
図３は、図１における鋼線７の先端にある８環またはストッパの内、ストッパとした場合の例を示す。図において１０は鋼線７の軸と垂直方向に丸くしたストッパで、１１は鋼線７を芯とする緩衝体を示す。これにより魚信を更に敏感にすることが可能になる。
【図面の簡単な説明】
【０００７】
【図１】本発明の釣り用天秤の正面図
【図２】本発明の釣り用天秤の収納状態を示す正面図
【図３】図１における鋼線７の先端にある８環またはストッパの内、ストッパとした場合の例を示す斜視図
【符号の説明】
【０００８】１  道糸
２  Ｌ字形体の道糸側主軸
３  Ｌ字形体のハリス側支軸
４  ハリス
５  Ｌ字形体のコイル部
６  錘
７  錘から主軸方向に伸びる鋼線
８  鋼線７の先端にある環またはストッパ
９  鋼線７の一部をコの字形又はフの字形に曲げたもの
１０  ストッパ
１１  緩衝体
【図１】
2007044021.tif 000003
【図２】
2007044021.tif 000004
【図３】
2007044021.tif 000005
(57)【要約】      （修正有）【解決手段】プラグの先端から中央下部にかけてのいずれかの位置より、プラグ後方下部方向に突起した金属線１を設け、その金属線１の先端に、針先が、プラグを水中で引いている際上を向くように二股の釣り針が取り付けられているプラグ。【効果】プラグを水中で引いている際、底にある障害物に針先が引っかかりにくくなり更に、釣り針の取り付け口がプラグ本体から離れている為、針先がプラグにガードされにくくなる。更に、二股の針とすることで、針先の向く方向がプラグ本体から反れ針先がプラグにガードされにくくなる。【選択図】  図１
2007044022.tif 000002
【特許請求の範囲】
【請求項１】
図１の例の様に、プラグの先端から中央下部にかけてのいずれかの位置より、プラグ後方下部方向に突起した金属線を設け、その金属線の先端に、針先が、プラグを水中で引いている際上を向くように二股の釣り針が取り付けられているプラグ。
【請求項２】
図２の例の様に、プラグの先端から中央下部にかけてのいずれかの位置より、プラグ後方下部方向に突起した金属線を設け、その金属線の先端にワッカが設けられているプラグ。
【発明の詳細な説明】
【技術分野】
【０００１】  この発明は、魚を釣るための道具であるルアーの中のプラグに関するものである。［背景技術］【０００２】  従来、プラグには図４に示すようにプラグ後部及びプラグ中央化部に密接するように釣り針の取り付け部が設けられ、釣り針が取り付けられていた。［発明の開示］［発明が解決しようとする課題］【０００３】  プラグ中央下部に取り付けられた釣り針は、その取り付け口がプラグに密接するように設けられているため、針先がプラグを水中で引いている際上を向く様になっていると、針先がプラグにガードされて魚の針がかりが悪くなった。しかし、プラグに対して外を向くように取り付けられると、プラグを水中で引いている際、底にある障害物に針先が引っかかり、プラグを損失しやすい傾向にあった。［課題を解決するための手段］【０００４】図１の例の様に、プラグの先端から中央下部にかけてのいずれかの位置より、プラグ後方下部方向に突起した金属線を設け、その金属線の先端に、針先が、プラグを水中で引いている際上を向くように二股の釣り針が取り付けられているプラグとする。［発明の効果］【０００５】  プラグの先端から中央下部にかけてのいずれかの位置より、プラグ後方下部方向に突起した金属線を設け、その金属線の先端に、針先が、プラグを水中で引いている際上を向くように針が取り付けらられることで、プラグを水中で引いている際、底にある障害物に針先が引っかかりにくくなり更に、釣り針の取り付け口がプラグ本体から離れている為、針先がプラグにガードされにくくなる。更に、二股の針とすることで、針先の向く方向がプラグ本体から反れ針先がプラグにガードされにくくなる。  更に、図２に示す様にプラグの先端から中央下部にかけてのいずれかの位置より、プラグ後方下部方向に突起した金属線を設け、その金属線の先端にワッカが設けられていると、そのワッカに、プラグを水中で引いている際上を向くように二股の釣り針が取り付けることで、傷んだ針が交換できるようになる。更に、多くの魚はえさを捕食する際、えさと共に水を吸引する傾向にあるため、魚がプラグに食いつく際に水を吸引し針先も魚の口に吸引する効果により、魚の針かかりがよくなる。［発明を実施するための最良の形態］【０００６】図３の例の様に、プラグの先端から中央下部にかけてのいずれかの位置より、プラグ後方下部方向に突起した金属線を設け、その金属線の先端にワッカを設け、そのワッカにプラグを水中で引いている際上を向くように二股の釣り針が取り付けられたプラグ。図３の様に、プラグ中央下部近辺の針と連結する金属線は、プラグ先端部近辺よりプラグ後方下部方向に伸びる様に取り付けられているものが理想的である。そうすると図５に示す様に、魚がかかった際、魚が糸を引く方向とプラグ中央下部近辺の針と連結する金属線の方向があわせやすく、プラグが傷みにくい。
【図面の簡単な説明】
【０００７】
【図１】プラグの先端から中央下部にかけてのいずれかの位置より、プラグ後方下部方向に突起した金属線を設け、その金属線の先端に、針先が、プラグを水中で引いている際上を向くように二股の釣り針が取り付けられているプラグ
【図２】プラグの先端から中央下部にかけてのいずれかの位置より、プラグ後方下部方向に突起した金属線を設け、その金属線の先端にワッカが設けられているプラグ
【図３】プラグの先端から中央下部にかけてのいずれかの位置より、プラグ後方下部方向に突起した金属線を設け、その金属線の先端にワッカを設け、そのワッカにプラグを水中で引いている際上を向くように二股の釣り針が取り付けられたプラグ
【図４】従来のプラグ
【図５】魚が本発明プラグを引いている図
【符号の説明】
【０００８】１  プラグ中央下部近辺の針と連結する金属線２  プラグ後部針取り付け口３  プラグ中央下部近辺の針と連結するワッカ４  プラグ中央下部針取り付け口５  魚が糸を引く方向６  プラグ中央下部近辺の針と連結する金属線の方向
【図１】
2007044022.tif 000003
【図２】
2007044022.tif 000004
【図３】
2007044022.tif 000005
【図４】
2007044022.tif 000006
【図５】
2007044022.tif 000007
(57)【要約】      （修正有）【課題】台所の流しに、ビニール袋に入れて、溜めておく必要がなく、しかもにおい等をなくすることができる生ごみ処理装置を提供する。【解決手段】台所の生ゴミを生ゴミ処理装置の中に入れ粉砕し水を入れ、水洗トイレの中に流せるようにし、下水道へ排出できるように構成した。【選択図】図８
2007044623.tif 000002
【特許請求の範囲】
【請求項１】
（１），（２），（３），（４），（５），（６），（７），（８），図の（ア），（イ），
（ウ），（エ），（オ），（カ），（キ），（ク），（ケ），（コ），の如く、卵の殻、
魚の骨、野菜のくず等、台所の生ゴミを御抹茶の様な粉末に粉砕してか
ら水を入れた状態のジュースの様にし、台所の流しに、流せる様にし、台所の流しから水洗トイレの便器の中に入れて下水道に流すことを特徴
とする生ゴミ処理装置、水洗トイレの便器の中へ入れて下水道に、即流せるのである事を特徴とし台所の生ゴミをビニール袋に入れて、市役所等の官庁の車で集めて処理する官庁関係の人手をなくすことが出来る、そして又、においが無く、地面に穴を掘って埋める必要ないことを特徴とする生ゴミ処理装置である。
【発明の詳細な説明】
【技術分野】
【０００１】
従来の生ゴミは、ビニール袋に入れ市役所等の官庁の車で集めて処理するか又、地面に穴を掘って埋めるしか方法しか、無かった、本考案装置は、これを解決したものである。
【背景技術】
【０００２】
従来の生ゴミは、ビニール袋に入れ市役所等の車で集めて処理するか又は、地面に穴を掘って埋めるしかなかった。
【０００３】
従来の生ゴミは、ビニール袋に入れ市役所等の車で、集めて処理するか又は地面に穴を掘って埋めるしか方法しかなかった、本考案装置は、これを解決したものである。
【０００４】
（１），（２），（３），（４），（５），（６），（７），（８），図の（ア），（イ），（ウ），（エ），（オ），（カ），（ケ），（コ），の如く、卵の殻、魚の骨、野菜くず等、台所
の生ゴミを御抹茶の様な粉末に粉砕してから水を入れた状態にいてから、水洗トイレの便器の中に入れて下水道に流すことを特徴とする、生ゴミ処理装置である、この生ゴミ処理装置の効果は、台所の生ゴミをお抹茶の様に粉砕してその場でジュース状態の流水にして、水洗トイレの便器の中に入れて下水道に、
即流せる特徴があるので、台所の流しに、ビニール袋に入れて、ためて置く必要がなく、におい等を無くす事を特徴とする生ゴミ処理装置である。
【発明の開示】
【発明が解決しようとする課題】
【０００５】
台所の生ゴミを粉末に粉砕してから水を入れた状態にする生ゴミ処理装置。
【課題を解決するための手段】
【０００６】
（１），（２），（３），（４），（５），（６），（７），（８），図の（ア），（イ），
（ウ），（エ），（オ），（カ），（キ），（ク），（ケ），（コ），の如く、卵の殻、魚の骨、野菜くず等、台所の生ゴミを粉砕してその場でジュースの状態
流水にして官庁関係の人手をなくし、水洗トイレ又は下水道に、そく流せるので台所に、ビニール袋に入れて、溜めておく必要もなく、におい等をなくす事を特徴とする生ゴミ処理装置である。
【発明の効果】
【０００７】
この生ゴミ処理装置の効果は、台所の生ゴミを粉砕してその場でジュース状態
流水にして、官庁関係の人手をなくし、水洗トイレ又は下水道に、即流せるの
で台所に、ビニール袋に入れて、溜めておく必要が無く、におい等をなくす事
を特徴とする生ゴミ処理装置である。
【発明を実施するための最良の形態】
【０００８】
台所の生ゴミを粉砕してその場でジュース状態の流水にしている水洗トイレ又は下水道にそく流せる状態で人手を無くする状態。
【実施例１】
【０００９】
台所の生ゴミを粉砕してその場でジュース状態の流水にして官庁関係の人でをなくし、水洗トイレ又は下水道に、即流せることを特徴とする生ゴミ
処理装置。
【図面の簡単な説明】
【００１０】
【図１】本装置の原理の説明図
【図２】左側面図の説明図
【図３】右側面図の説明図
【図４】正面の説明図
【図５】背面の説明図
【図６】上面の説明図
【図７】下面の説明図
【図８】台所の流しから水洗トイレの便器の中に入れて下水道までの説明図
【符号の説明】
【００１１】
（ア），は生ゴミを入れる口のふたの説明図
（イ），は生ゴミと水との混合タンクの説明図
（ウ），は円錐状のタンクの部分の説明図
（エ），あるー定の砕けた生ゴミの選別をする網又はフィルターの説明
（オ），生ゴミを粉砕する装置の例としてプロペラ状の刃のカッター部分の説明
（カ），モーターの軸とプロペラのカッター部との堤の防水部分の説明
（キ），モーターで電子制御部分の説明
（ク），フィルターを通過したジュース状態の流水が流しの中に流すためのパイプの説明
（ケ），流しに流したり止めたりする部分の説明
（コ），空冷のための穴の説明
【図１】
2007044623.tif 000003
【図２】
2007044623.tif 000004
【図３】
2007044623.tif 000005
【図４】
2007044623.tif 000006
【図５】
2007044623.tif 000007
【図６】
2007044623.tif 000008
【図７】
2007044623.tif 000009
【図８】
2007044623.tif 000010
(57)【要約】【課題】従来のアスベスト封じ込み・取り囲み工法では、アスベストと封じ込み取り囲み断熱材との間の隙間、重量の問題があり、アスベストの剥離脱落を促進させる恐れがあること。さらに、使用するガラスウールやロックウールが将来撤去の際、産業廃棄物なることが必至である。また、ガラスウールやロックウールそのものが人体に及ぼす影響はまだ安全とは実証されていない。【解決手段】既存の耐火構造物に塗布されて露出し、飛散の可能性のあるアスベストに粘着力を向上させた液体断熱材をアスベスト全面に塗布して封じ込めることで飛散や人体に暴露することを未然に防ぐことにより問題を解決する。【選択図】図  １
2007044681.tif 000002
【特許請求の範囲】
【請求項１】
露出したままのアスベストの表面全面に粘着力の強い不燃性の液体断熱材を、直接手を触れないで塗布してアスベストを封じ込め、飛散・人体への暴露を防止する工法
【発明の詳細な説明】
【発明の詳細な説明】
【技術分野】
【００１】この発明は、液体でありながら、混入されているシリカ系セラミック中空ビーズの特性を利用して、放射・照射される熱の９９．６１％を熱源側に反射してしまう不燃性の断熱材を、直接手を触れないでアスベスト施工面の表面全面に塗布して封じ込め、飛散や暴露被害を未然に防ぐ発明に関するものである。
【背景技術】
【００２】１９７０年代をピークに特に鉄骨構造物の耐火目的で鉄骨に塗布されたアスベストが露出されたまま野ざらし状態に置かれているケースが多い。今世紀に入り、環境や人体への悪影響を指摘される状況にある。
これらに対する処置として、撤去して安全に投棄する方法の他、封じ込み方法や囲い込み方式が研究されてきた。
しかし封じ込み手段として、塗料系材料ではシンナーやラッカー、トルエン等の溶剤がアスベストを侵す可能性を否定できなかった。またなによりも決定的なことは塗料は可燃性であり、耐火構造を形成する材料では有り得ないことである。
封じ込める断熱材として固形のガラスウールやロックウールを巻付け封じ込める方法であったが、この作業を行う作業員自体がアスベストを吸引した事実が判明している。またこれらの固形断熱材は施工したとしても重量がありアスベストの密着力に負荷をかけ、剥離・落下の要因となるし将来撤去の際、産業廃棄物となる物性を持っている。さらにこれらは固形であるが故にアスベストとの間に空気層を挟むことから決定的な封じ込み・囲い込み工法とはいえなかった。
【発明が解決しようとする課題】
【００３】最近特に発がん性を指摘されるなど人体への悪影響が指摘されているアスベストは公共性の高い公民館、教育設備、大型店舗などの鉄構造物の耐火目的で鉄骨部分に吹き付けられている。出火の際、いち早く火勢から構造物を守るという役目を果たすために表面に露出し、むき出し状態であることが殆どである。近年、このアスベストが密着力の経年劣化などにより粉塵となり飛散し人体への影響が懸念され、対処は急務となっている。
この発明は解決手段として、先に述べた従来の技術ではなく、不燃性という断熱力をもつ液体の断熱材を１ｍｍ単位の厚さで露出しているアスベストに直接手を触れないで、全面に塗布して封じ込めて飛散や人体への暴露を防ぐ発明である。
【課題を解決するための手段】
【００４】この発明で使用する液体断熱材は３０μ〜５０μのセラミック中空粒子を液体アクリルシリコンと混入して製造された不燃性の水性の断熱材である。
「アスベスト表面に塗布して封じ込める」という効果効能をさらにアップさせるためにベースとなる液体断熱材に密着力の強いアクリル溶液を１８：１の割合で混入して満遍なく攪拌して粘着力を向上させる。
こうして完成した液体断熱材をアスベストに直接手を触れないで、表面全面に塗布することによりアスベストを封じ込めて課題を解決する。
【発明を実施するための最良の形態】
【００５】次に、本発明の実施の形態について図面によって説明する。
（イ）ベースとなる液体断熱材（１）はシリカ８７％に水とアクリルバインダー１３％を混入して製造されているが、これにアクリル水溶液（２）を１８：１の割合で加え攪拌して粘着力をアップさせる。
（ロ）上記により製造した液体断熱材は施工に当たってはセラミック真空粒子が満遍なく断熱材全体に行き渡るように攪拌を十分に行い従来の塗布方法に準じて行えばいい。
（ハ）なお、塗布する粘着力の強い液体断熱材には顔料を加え着色が可能である。
【発明の効果】
【００６】本発明は以上のような構造で製造し、露出したアスベストの表面全面に塗布するものであるが次にこの液体断熱材を使用した際の効果について述べる。
効果（イ）ベースとして使用する液体断熱材は安全であり、発ガン性物質としての規制は一切無い不燃性、環境危険度はＳＡＲＡなど危険物質ガイドラインに無い物質である。さらに混入されているセラミックビーズの優れた性質として熱を屈折させて反射させ散逸させる性質を持ち、中空構造である故に熱エネルギーの伝達が行われにくい特性を持っている。
ＦＤＡ（米国食品医薬品局）承認。ＵＳＤＡ（米国農務省）承認。ＵＬＩＭＯＡ６５３（Ａ）防護壁の表面燃焼性試験に合格。ＯＳＨＡＰＥＬＡＣＧＩＨＴＬＶが有害成分０％と認定した水性の液体断熱材である
（ロ）これまでにアスベストの取り囲み・封じ込み方法として使用した断熱材はガラスウールやロックウールなど固体であり、施工にあたってはアスベストとの間に隙間を生じ、空気層や水分の入り込む隙間を挟む封じ込み・取り囲み状態であった。また、使用する断熱材そのものに重量があり、アスベストの密着力に負荷をかけ、剥離や落下の原因となっていた。
さらにガラスウールやロックウール自体が将来撤去の際、産業廃棄物となるのは必至である。
今回の発明は液体をアスベストに塗布するため空気層を生じない。また塗布した液体断熱材は乾燥すれば１ｍｍ厚塗布した場合の重さは１００ｇ程度であり、粘着力も向上したこともあってアスベストの密着力をアップする効果を発揮させる。
（ハ）本発明によって使用する液体断熱材はセラミック真空粒子の働きによって、施工の際ミリ単位の塗膜厚で十分な効果を発揮するため将来撤去にあたって産業廃棄物とならない。
（ニ）本発明に使用する液体断熱材は機能上、白色を基調とするが、希望する着色が可能であるため美観保持の機能は阻害しない。
（ホ）本発明による封じ込み施工によって直接手を触れることなく当面放置され露出しているアスベストを封じ込め、アスベストを機能させたまま地下投棄したと同じ効果を発揮し飛散や人体への暴露を防止できる。
【図面の簡単な説明】
【図１】本発明の施工中の斜視図である。
【符号の説明】
（１）は既成の液体断熱材  （２）は混入するアクリル水溶液
（３）は完成した粘着力アップの液体断熱材
（４）は吹きつけ塗装機    （５）は吹き付け用ガン
（６）は塗布される液体断熱材
（７）は露出したアスベストの封じ込められた状況
【図１】
2007044681.tif 000003
(57)【要約】      （修正有）【課題】液流を、球体に替えて空中に放出する装置を提供する。【解決手段】吐出口２に、袋状弾力フィルター３を有する吐出装置と、吐出口２に対向して配設された回転軸６上に、内側に曲面状の溝８を放射状に設けた半球形の拡流子５を配設する。袋状弾性フイルターを通過した圧力一定の液流を回転する半球系のカップに流化させることで空中に球状の液体を放出する。マイナスイオンの発生と共に涼感を演出する。【選択図】図１
2007044682.tif 000002
【特許請求の範囲】
【請求項１】
吐出口に、袋状の弾力フィルターを有する吐出装置と、吐出口直下に、内側に曲面状の溝を放射状に設けた、半球形の拡流子を回転軸上に配設して成る液体を利用する空間装飾装置。
【発明の詳細な説明】
【技術分野】
【０００１】  本発明は液体を利用する空間装飾装置に関する。［背景技術］【０００２】  従来の液体を利用する空間装飾装置には液体膜を利用するものがあった。［特許文献１］特開昭５２−１０６９７３［特許文献２］公実昭５３−  ５３０９９［発明の開示］［発明が解決しようとする課題］【０００３】  しかしながら、従来の液体を利用する空間装飾装置には、液体膜を分割する等の変化は見られるが、液体の動的表現には乏しいものがあった。［課題を解決するための手段］【０００４】  本発明は、吐出口２に、袋状弾力フィルター３を有する吐出装置と、吐出口２に対向して配設された回転軸６上に、内側に曲面状の溝８を放射状に設けた半球形の拡流子５を配設することで上記課題を解決する。［発明の効果］【０００５】  本発明は、袋状弾力フィルターを通過させて圧力を一定にした液流を、直下の回転軸上に設けた、半球形の拡流子上に流下させることで、空中に球状の液体を連続して放出する装置である。袋状弾力フィルターで整流された液体の流下圧で該拡流子が回転するため、液流は該拡流子上から離れる瞬間に分断されて空中に放出すると同時に、液体の表面張力で円球となり放射状に空間を装飾し、マイナスイオンの発生と共に涼感の演出をする。［発明を実施するための最良の形態］【０００６】  以下、本発明の実施の形態を説明する。  （イ）液体の送給管１の吐出口２に、袋状弾力フィルター３を設ける。  （ロ）袋状弾力フィルター３を設けた吐出口２の直下に、回転軸６を上部に設けた支持部材７を配設する。  （ハ）回転軸６上に、内側に曲面状の溝８を放射状に設けた半球形の拡流子５を配設する。  本発明は、以上の構成より成る。  本発明を使用する場合は、図１に示されるように送給管１に連続して液体を供給する。
【図面の簡単な説明】
【０００７】
【図１】本発明に係る液体を利用する空間装飾装置の概観図である。
【図２】本発明に係る半球形の拡流子の平面図である。
【符号の説明】
【０００８】１  送給管２  吐出口３  袋状弾力フィルター４  液体流５  半球形の拡流子６  回転軸７  支持部材８  曲面状の溝９  球状液体
【図１】
2007044682.tif 000003
【図２】
2007044682.tif 000004
(57)【要約】      （修正有）【課題】手動で使用するネジ用ドライバー使用時、体力的に楽で、効率的であり、電動ドリルで使用不可能な所でも使用出来る補助具としての回転用具を提供する。【解決手段】強力なＵ字型クリップバネ２個を十字型に、端部を前にして、用具先端に装着する。ＡはＵ字クリップバネの先端部分である。４箇所の先端部分でドライバーの軸を銜える。ＣのＵ字型の底部中心には、モーター軸用の穴が開いている。そこに、Ｂのゴム製のリングをセットする。ドライバーへ押しつけてチャックの回転力が、より伝わるようにする。【選択図】図１
2007044861.tif 000002
【特許請求の範囲】
【請求項１】
［図１］Ａのクリップバネのバネ力を銜え力とし、尚且つそれを十字型に設置してドライバーの保持力を高めた、クリップバネ使用のチャックを有した手動ドライバー回転用具。
【請求項２】
［図１］Ｂのチャック中央に位置し、ドライバーの位置固定の機能および押し圧力吸収、及びモーター回転時にドライバーを回さずにチャックだけ空回りするのを防止する滑り止めの機能のゴムリングを使用した手動ドライバー回転用具。
【請求項３】
［図１］Ｄのクリップバネの中央に位置し、ドライバーの姿勢位置保持及びグリップ力アップの為の固定ゴムを使用した手動ドライバー回転用具。
【請求項４】
［図２］Ｂのゴムリングを通して、ドライバーの真上から押し圧力を加え易いよう本体位置を構成した手動ドライバー回転用具。
【発明の詳細な説明】
【技術分野】
【０００１】手動で使用するネジ用ドライバー使用時に、締め回転を正転逆転でアシストします。
［背景技術］
背景技術はありません。
［発明の開示］
［発明が解決しようとする課題］【０００２】手動で使用するネジ用ドライバー使用時、手力だけで回すのは、疲れますし、非効率的です。
電動ドライバーもありますが、それでは使用出来ない所もありますし，適当な道具も無いため、止むを得ずそのまま手動ドライバーを使用していた面もあります。
［課題を解決するための手段］【０００３】手動ドライバーを正しい姿勢で保持出来、尚且つ力のある回転を加える事の出来る用具で、回転を補助します。
［発明を実施する為の最良の形態］【０００４】強力なＵ字型クリップバネ２個を十字型に、端部を前にして、用具先端に装着します。
図１のＡはＵ字クリップバネの先端部分です。４箇所の先端部分でドライバーの軸を銜えます【０００５】図１のＣのＵ字型の底部中心には、モーター軸用の穴が開いています。
そこに、図１のＢのゴム製のリングをセットします。ドライバーへ押しつけてチャックの回転力が、より伝わるようにします。
ゴム製のリング中心にも、モーター軸用の穴が開いています。【０００６】Ｕ字型クリップバネ１個の膨らんだ箇所、その内側２箇所に図１のＤのゴム製バネを設置します。ドライバーの姿勢保持と握り軸をグリップします。
中空の部分を有すことにより、ドライバー握り軸の太さ細さに対応します。取り外しも可能です。【０００７】図１Ｅの  モーター駆動部のモーター軸を、Ｕ字クリップの底部に、背面からセットします。【０００８】図１Ｆは本体のモーター駆動部です、Ｂの上からドライバー握り軸への押し力を加え易いよう真上に位置しています。【０００９】図１ＧはギヤボックスですＨのモーター回転を変換します。【００１０】図５のＯ．Ｐはマジックテープのオスとメスです。図１のクリップバネＤの位置に巻きつけて、これで固定します。【００１１】図５のＭはゴムで、Ｎの束線バンドで束ねています。【００１２】図６は、十字金具です。２個のＵ字クリップバネを十字に固定します。バンドで固定します。
［発明の効果］
省労力、効率化
ドライバー作業も長時間行うと疲労しますので、モーター駆動を利用した方が効率も上がりますし、体力的にも楽です。
電動ドリルで使用不可な所に使用可能
狭い所で、手動ドライバーしか使用出来なかった所も、この回転補助具を使用すれば、楽に作業できます。
手動用ドライバーの有効活用
手動用ドライバーは、現在も幅広く多数使用されてますので、この回転補助具を使用すれば有効活用出来ます。
装着が簡単
回転を補助出来ても、手動用ドライバー装着に時間がかかっては使う気になりませんが、この回転補助具の場合はワンタッチで装着出来ます。
安全です。
低回転で回転設定していますので安全です。
【図面の簡単な説明】
【００１３】［図１］  本発明の全体断面図
［図２］  外見図
［図３］  ドライバー装着図
［図４］  クリップバネ
［図５］  グリップゴム
［図６］  十字金具
【符号の説明】
Ａはクリップバネ、Ｂはドライバー軸受けゴム、Ｃクリップバネセンター穴  Ｄはグリップゴム、Ｅはモーター軸、Ｆは駆動本体、Ｇはギヤボックス、Ｈはモーター、Ｉは電源、ＪはＯＮＯＦＦスイッチ、Ｋは駆動用固定ピン、Ｌは正転逆転スイッチである。
【図１】
2007044861.tif 000003
【図２】
2007044861.tif 000004
【図３】
2007044861.tif 000005
【図４】
2007044861.tif 000006
【図５】
2007044861.tif 000007
【図６】
2007044861.tif 000008
(57)【要約】【課題】耐熱性と防食性が一段と向上し、耐久性を備えた塗装金属板の提供にある。【解決手段】鉄若しくはステンレス材の表面にニッケルリンメッキの皮膜が形成され、このニッケルリンメッキの上に耐熱塗装の皮膜が形成されることを特徴とする。【選択図】図１
2007044881.tif 000002
【特許請求の範囲】
【請求項１】
鉄若しくはステンレス材の表面にニッケルリンメッキの皮膜が形成され、このニッケルリンメッキの上に耐熱塗装の皮膜が形成されることを特徴とする塗装金属板。
【請求項２】
耐熱塗装は、純シリコーン塗料又は変性シリコーン塗料を塗装することを特徴とする請求項１記載の塗装金属板。
【請求項３】
耐熱塗装は、ゾルゲル塗料を塗装することを特徴とする請求項１記載の塗装金属板。
【発明の詳細な説明】
【技術分野】
【０００１】
本発明は、電子レンジ、五徳、車のマフラー等の耐熱性及び防食性、耐摩耗性等の耐久性が要求される塗装金属板に関するものである。
【背景技術】
【０００２】
従来、電子レンジ、五徳、車のマフラー等では、高温に曝されるため耐熱性が要求されると共に、これらに使用される材料には、長期の使用に耐える耐久性が要求される。
【０００３】
この様な用途に使用する材料として、耐熱樹脂を用いた塗膜を有する塗装鋼板が提案されているが、耐熱性と防食性が低下するという課題があった。
【０００４】
【特許文献１】特開昭６１−１１１３７８号公報
【特許文献２】特開平８―２８１８６７号公報
【発明の開示】
【発明が解決しようとする課題】
【０００５】
本発明は、耐熱性と防食性が一段と向上し、耐久性を備えた塗装金属板の提供にある。
【課題を解決するための手段】
【０００６】
本発明に係る塗装金属板は、鉄若しくはステンレス材の表面にニッケルリンメッキの皮膜が形成され、このニッケルリンメッキの上に耐熱塗装の皮膜が形成されることを特徴とする。
【０００７】
又、本発明に係る塗装金属板は、耐熱塗装が、純シリコーン塗料又は変性シリコーン塗料又はゾルゲル塗料を塗装することを特徴とする。
【発明の効果】
【０００８】
本発明による塗装金属板では、鉄若しくはステンレス材の表面にニッケルリンメッキの皮膜が形成され、このニッケルリンメッキの上に耐熱塗装の皮膜が形成されると、通常、鉄などの素材には３００℃以上の高温密着性が極端に悪くなるが、素材表面にニッケルリンメッキの皮膜が形成されることにより、付着性が著しく向上すると共に、高温防食性も向上する。
【発明を実施するための最良の形態】
【０００９】
本発明にかかる一実施例を説明する。
本発明に係る塗装金属板は、材料、例えば、鉄若しくはステンレス材の表面にニッケルリンメッキの皮膜が形成され、このニッケルリンメッキの上に耐熱塗装の皮膜が形成される。
【００１０】
この塗装金属板の耐熱塗装は、純シリコーン塗料又は変性シリコーン塗料を塗装している。
即ち、材料である鉄又はステンレス材の表面にニッケルリンメッキを施す。そして、その上に、純シリコーン塗料又は変性シリコーン塗料を塗装している。
【００１１】
通常、３００℃以上の高温では密着が極端に良くないが、材料の表面にニッケルリンメッキ処理をすることにより純シリコーン塗料又は変性シリコーン塗料等の付着性が向上する。
また、付着性のみならず、高温防食性も向上する。
【００１２】
耐熱塗膜の成分としては、顔料が無機物で黒色の場合には、銅鉄マンガン、鉄マンガン、酸化コバルトを含む複合酸化物である。
白色の場合には、酸化チタン、アルミナ、シリカ、窒化硼素で、黄色の場合には、チタン黄、バナジン酸ビスマス系、青や緑の場合には、酸化コバルト系、茶はベンガラである。銀色はアルミペーストを使う。
上記顔料は単独若しくは併用して使用し、タルクやマイカ、ガラスフリット等を補強材として配合し、バインダーとして使う樹脂に、通常のメチルフェニルシリコーン、変性シリコーンワニスを使い、芳香族系溶剤で調整し、沈殿防止剤やレベリング剤を添加して練りこんだ塗料を加熱乾燥する。
【００１３】
かかる塗装金属板にあっては、図１に示すように、防食性が向上する。
即ち、実験例として、マフラーに発生する濃縮水に近い組成の酸性液を一時間毎に、塗装金属板に噴霧して５０℃で保管する。
３００回噴霧した後の錆の状況は、図１に示すように、ニッケルリンメッキの皮膜が形成され、このニッケルリンメッキの上に耐熱塗装として、純シリコーン塗料又は変性シリコーン塗料を塗装した塗装金属板では、加熱しない場合でも、加熱（５００℃）した場合でも錆は発生しない。
【００１４】
なお、図中、二重丸は錆の発生がない、一重丸はほぼ錆なし、三角印はやや錆有り、×は錆多量を示す。
【００１５】
次に、耐熱塗装として、ゾルゲル塗料を塗装する場合につき説明する。
材料である鉄又はステンレス材の表面にニッケルリンメッキを施す。そして、その上に、ゾルゲル塗料を塗装する。
【００１６】
通常、鉄には３００℃以上の高温で密着が極端に良くないゾルゲル系塗料やメチルトリメトキシシランのオリゴマーワニスが、材料である鉄又はステンレス材の表面にニッケルリンメッキ処理をすることにより、付着性が著しく向上する。また、付着性のみならず、高温防食性も向上する。
【００１７】
耐熱塗膜の成分としては、顔料が無機物で黒色の場合には、銅鉄マンガン、鉄マンガン、酸化コバルトを含む複合酸化物である。
白色の場合には、酸化チタン、アルミナ、シリカ、窒化硼素で、黄色の場合には、チタン黄、バナジン酸ビスマス系、青や緑の場合には、酸化コバルト系、茶はベンガラである。銀色はアルミペーストを使う。
上記顔料は単独若しくは併用して使用し、タルクやマイカ、ガラスフリット等を補強材として配合し、バインダーとしてメチルトリメトキシランのオリゴマー、二液型ゾルゲルワニスを使い、アルコール系溶剤や芳香族系溶剤で調整し、沈殿防止剤やレベリング剤を添加して練りこんだ塗料を加熱乾燥する。
【００１８】
かかる塗装金属板にあっては、図１に示すように、防食性が向上する。
【図面の簡単な説明】
【００１９】
【図１】本発明に係る塗装金属板と他とを比較した実験結果を示す図表である。
【図１】
2007044881.tif 000003
(57)【要約】【課題】  一般の蒸し器と同じような調理上の効果を、電子レンジの庫内において実現させるための、電子レンジ用蒸し器に関するものである。【解決手段】  蓋（２）の内側に取付けた電波遮断ケ−ス４）と、鍋（１）内に置いた、金属製の卵立て皿（３）に囲まれた空間（９）は、電子レンジの電波の作用を殆ど受けない。この空間（９）に鍋（１）に発生した蒸気を、卵立て皿（３）のスリット大（６）及び、スリット小（７）より送込む事により、高温の蒸気室（９）を作り調理を行う。【選択図】    図１
2007044459.tif 000002
【特許請求の範囲】
【請求項１】
金属製電波遮断ケ−ス（４）を内装した、耐熱樹脂製又は、耐熱ガラス製の蓋（２）と、複数のスリット（６）及び、スリット（７）を有する金属製卵立て皿（３）を内部に置いた、深皿状の耐熱ガラス製又は、耐熱樹脂製の鍋（１）により、電波の作用しない空間（９）を作り、その空間（９）に、スリット（６）及び、スリット（７）より高温の蒸気を送込み、空間（９）内で調理を行う構造の、電子レンジ用蒸し器。
【発明の詳細な説明】
【発明の詳細なる説明】
【産業上の利用分野】
【０００１】  この発明は、電子レンジにより蒸気を発生させ、その蒸気を使って調理をする電子レンジ用蒸し器に関するものである。
【背景技術】
【０００２】  従来、電子レンジによる調理は、食品に直接電波を当て、水分子による発熱作用を利用して調理加工をする。そのため冷凍食品を解凍加熱した場合に、食品によっては内部の水分が不足気味になり、乾いた感じになる場合がある。特に、低価格の単機能形電子レンジでは、加熱時間の調整が難しい。
【発明が解決しようとする課題】
【０００３】  電子レンジの電波に影響されない、比較的大きい高温の蒸気室（９）を作る事により、
イ、電子レンジのタイマ−操作だけで、簡単に冷凍食品の蒸気による解凍加熱ができる。
ロ、電波の影響を受けないから、ゆで卵など卵調理も簡単にできる。
このような、一般用の蒸し器に劣らない電子レンジ用蒸し器を作り出す事にある。
【課題を解決するための手段】
【０００４】    図面により概要を説明する。図（１）より、耐熱樹脂製又は、耐熱ガラス製の円筒形の蓋（２）の内側に、同形の金属製電波遮断ケ−ス（４）を取付ける。蓋（２）と遮断ケ−ス（４）には、同位置に蒸気排出口（８）を複数設ける。深皿状の鍋（１）（水タンク兼用）は、耐熱ガラス製又は耐熱樹脂製とし、内部に金属製卵立て皿（３）（意匠登録第１１９５８０７号の下容器部分）を置く。上方からの電波は電波遮断ケ−ス（４）で、下方からの電波は卵立て皿（３）で遮断する。解凍加熱には図（５）に示すように、すのこ（１０）を用いる。本発明は、以上の構成により課題を解決しようとしている。
【作用】
【０００５】  この蒸し器を、電子レンジの庫内で加熱した場合に、先ず、上方からの電波は電波遮断ケ−ス（４）により、ほぼ完全に遮断される。下方からの電波は金属製卵立て皿（３）により大部分は遮断される。鍋（１）の水位線（１１）まで入っている水により、殆どの電波は水の加熱に費やされ、スリット大（６）、スリット小（７）及び、卵立て皿（３）と電波遮断ケ−ス（４）との間隙から、蒸気室（９）に入る電波の量は僅かで無視できる。
【実施例】
【０００６】  以下、本発明の、実施例を述べる。
実施例における、基本的数値の概要。
イ  実施例、蒸し器の大きさ                最大径      １７．５ｃｍ
最大高さ    １３．５ｃｍ
蒸気室（９）の大きさ          約            ２リットル
水タンク（１）の水量（水位線まで）        １５０ｃｃ
使用電子レンジ        強、弱自動切替え    タ−ンテ−ブル式
強    ５００ｗ      弱  約１７０ｗ
ロ  （実験結果）
解凍加熱  市販冷凍シュ−マイ  １０個    強７分
ゆで卵    鶏卵  Ｌ    ４個  強５．５分  弱６分    合計１１．５分
以上のいずれの場合も、蒸気として使用された水分量は、約６０ｃｃである。
図１より、鍋（１）と蓋（２）は、耐熱樹脂製で、電波遮断ケ−ス（４）と、卵立て皿（３）はステンレス・スチ−ル製である。
蓋（２）と電波遮断ケ−ス（４）には同位置に、直径３ｍｍの蒸気排出口（８）４個を等間隔に設けている。これは、蒸気室（９）内の高温蒸気の偏在を成るべく少なくするためである。また、卵立て皿（３）の底面に、幅３ｍｍ、長さ３５ｍｍのスリット大（６）４個、卵立て皿（３）の傾斜面に、幅３ｍｍ、長さ８ｍｍのスリット小（７）４個、合計８個のスリットを設けて、鍋（１）に発生した蒸気を蒸気室（９）に送込んでいる。なお、スリットは、穴の連鎖でも効果は同じである。本実施例の場合、８個のスリットの合計面積と卵立て皿（３）の面積の比は約３％であり、例え５００ｗ全量の電波が下方から照射しても、蒸気室（９）内の食品に短時間であれば大きな影響は与えない。鍋（１）の水量１５０ｃｃは固定されたものではなく、１８０ｃｃでも構わない。その場合、蒸気発生の立上がりが遅くなり、調理時間が長くなるが、調理可能時間もまた延びることになる。解凍加熱の場合は、図５に示すように、卵立て皿（３）の上にすのこ（１０）を置く。ゆで卵を作るときは、卵立て皿凹部（５）に直立させる。
【本発明の効果】
【０００７】  本発明を使用する事により、安価な単機能形電子レンジの利用度を拡大でき、又、蒸し器としても、使用水量が少なく省エネ効果が大きい。時代の要請に答える器具の一つになるとおもう。
【図面の簡単な説明】
【図１】本発明の正面図一部Ａ−Ａ′線断面図
【図２】本発明の平面図
【図３】卵立て皿（意匠登録  第１１９５８０７号の下容器）平面図
【図４】卵立て皿  正面図
【図５】すのこを使用した場合の、卵立て皿正面図
【符号の説明】
１  鍋（水タンク兼用）
２  蓋
３  卵立て皿（意匠登録第１１９５８０７号の下容器）
４  電波遮断ケ−ス
５  卵立て皿凹部
６  スリット大
７  スリット小
８  蒸気排出口
９  蒸気室
１０  すのこ
１１  水位線
【図１】
2007044459.tif 000003
【図２】
2007044459.tif 000004
【図３】
2007044459.tif 000005
【図４】
2007044459.tif 000006
【図５】
2007044459.tif 000007
(57)【要約】【目的】  吸収ポリマーを使用する事により、機械内部に保管でき、蒸発効果にも優れ、充填可能となる。【構成】  吸収ポリマーに、消臭液を入れ、ゼリー状にし、網板に塗り付ける。【特許請求の範囲】
【請求項１】
吸収ポリマーに消臭剤を入れゼリー状にし、網板に塗りつけ、シート状にし、消臭剤を蒸発させる為の物。
【発明の詳細な説明】
【発明の詳細な説明】
【産業上の利用分野】
【０００１】この発明は、吸収ポリマーに消臭剤を入れゼリー状にし消臭剤を蒸発させる為の物
【背景技術】
【０００２】従来、布製の物を使用した物はあった。
【発明が解決しようとする課題】
【０００３】これは次のような欠点があった。  （イ）たくさん浸透すれば溶液が垂れる  （ロ）浸透性が遅い
【問題を解決するための手段】
【０００４】吸収ポリマーに消臭剤を入れゼリー状にするする。
【発明の効果】
【０００５】機械内部に保管でき充填可能になる。  蒸発効果にも、優れている。  溶液垂れ防止にもよい。  ゼリー状態での使用ができる。
【図面の簡単な説明】
【図１】本考案の斜視図である。
【図２】本考案の使用方である
【符号の説明】
１網板  ２消臭剤を含んだゼリー状の吸収ポリマーを塗り込んだ網板
【図１】
2007044456.tif 000002
【図２】
2007044456.tif 000003
(57)【要約】【目的】吸収ポリマーを使用する事により、容器及び機械内部に保管でき、蒸発効果にも優れ、充填可能となる。【構成】吸収ポリマーに、消臭液を入れる。。【特許請求の範囲】
【請求項１】
吸収ポリマーに消臭剤を入れゼリー状にして消臭剤を蒸発させる為の物。
【発明の詳細な説明】
【発明の詳細な説明】
【産業上の利用分野】
【０００１】この発明は、吸収ポリマーに消臭剤を入れゼリー状にし消臭剤を蒸発させる為の物
【背景技術】
【０００２】従来、布製の物を使用した物はあった。
【発明が解決しようとする課題】
【０００３】これは次のような欠点があった。
（イ）たくさん浸透すれば溶液が垂れる
（ロ）浸透性が遅い
【問題を解決するための手段】
【０００４】吸収ポリマーに消臭剤を入れゼリー状にするする。
【発明の効果】
【０００５】機械内部に保管でき充填可能になる。
蒸発効果にも、優れている。
溶液垂れ防止にもよい。
ゼリー状態での使用もできる。
(57)【要約】【課題】室内外を問わず、身長を高く見せるもので、どのような靴や靴下にも対応できる踵持ち上げ器を提供するものである。【解決手段】足１の幅に合わせた弾力性素材２を直接足１の踵部に貼り付けることにより、身長を弾力性素材２の厚み寸法Ｂだけ高くする事ができる。直接足に貼り付けるものなので、靴や靴下は自由に選択でき、身長を高くできるものである。【選択図】図１
2007044458.tif 000002
【特許請求の範囲】
【請求項１】
足１のかかと部分に弾力性素材２を直接張り付け身長を高くする装着器。
【発明の詳細な説明】
【技術分野】
【０００１】本発明は身長を高くする為の装着器である
【背景技術】
【０００２】従来、靴自体の底を高くし、身長を高く見せていたが、靴を脱ぐとその効果がなく、室内では身長が元に戻り、室内では身長の高さを維持できないものであった。
【発明の開示】
【発明が解決しようとする課題】
【０００３】簡単に身長を高くできる。どんな靴にも靴下にも対応できるので、靴や靴下を限定しなくても良い。室内でも高い身長を確保できる。
【課題を解決するための手段】
【０００４】足１の踵部分に踵の幅と同じ幅を持った弾力性のある素材２を粘着する。弾力性素材は、踵の弾力性に近い弾力性能を持ったもので、歩行時に歩きやすいものである。装着位置は、履いている靴が違和感なく履けるように、足１の寸法Ａを確保できる位置に弾力性素材２を装着する。弾力性素材の幅は、かかと幅に合わせて装着するものである。弾力性素材２の高さＢの寸法だけ身長が高くなる。
【発明の効果】
【０００５】室内、室外においても身長を高く見せる事ができる。
靴や靴下は、普段履いているものが履ける。又、踵後部の靴擦れがおこりにくい。
【発明を実施するための最良の形態】
【０００６】粘着性を持った弾力性素材２を足１の踵部分に直接貼り付ける。弾力性素材２は、幅は足の踵幅で、足の寸法Ａを変えないもので靴を履くのに全く支障が無いものである。
弾力性素材２の高さＢは、２０ｍｍ〜７０ｍｍで身長を明らかに高く見せる高さである。
【実施例】
【０００７】弾力性素材２の足側の面に粘着性を持たせ、常に足の踵の部分に粘着面３で引っ付いた状態である。弾力性素材２は、シリコンや、ゴム、コルク等が最適である。
図２の様に粘着面を広くする為に、踵の形状に近いカーブの形状にする事とかかとの横面２ａを少し受ける事により踵と弾力素材の粘着性を高めたものである。
【産業上の利用可能性】
【図面の簡単な説明】
【０００８】
【図１】踵持ち上げ器の概略図
【図２】踵持ち上げ器の実施例図
【符号の説明】
【０００９】１足    ２弾力性素材    ２ａ横の粘着面    ３粘着面
Ａ足の大きさ    Ｂかかと持ち上げ高さ
【図１】
2007044458.tif 000003
【図２】
2007044458.tif 000004
(57)【要約】      （修正有）【課題】組立解体可能なコンパクトな形に収納でき、運搬が容易で室内はもちろん屋外でも組立ができる簡易シャワールーム又は、簡易トイレルームの提供。【解決手段】下部排水タンク６の四隅に開けた支柱差込み穴にプラスチック製支柱１を建て、四隅に穴を開けた上部給水タンク２を載せる。給湯口３より給水し、シャワー器具４を取り付けて使用する。シャワー室は防水シート５で周囲を覆い、シートの下端は下部排水タンク６の内側に取り付け、外部への漏水を防ぐ。下部排水タンク６に溜った使用後の水やお湯は小型排水バスポンプ７又は排水口８にて排水する。下部排水タンクの上部は、シャワー用スノコ９で作成する。そしてシャワー室の出入りは防水シート５に取付けたシャワー室出入口用ジッパー１０の上げ下げにより行う。又、下部排水タンクを便器を取り付けた汲み取り式トイレタンクにすれば、トイレとして使用できる。【選択図】図１
2007044460.tif 000002
【特許請求の範囲】
【請求項１】
上・下にタンクを備え付けた組立式簡易シャワ−ル−ム
【請求項２】
請求項１記載の組立式簡易シャワ−ル−ムに脱衣所を設けた組立式簡易式シャワ−ルーム
【請求項３】
下部の排水タンクをトイレ仕様にすることもできる組立式簡易トイレル−ム
【発明の詳細な説明】
【技術分野】
【０００１】  本発明は、組立解体可能なコンパクトな形に収納でき、運搬が容易で室内はもちろん屋外でも組立ができる簡易シャワ−ル−ム又は、簡易トイレル−ムである。
水道設備がある所では水道ホ−スや給湯器から上部の貯水タンクに給水を行い、無い所ではポリタンク、やかん、小型水中ポンプ等により給水を行う。又、下部のタンクにたまった水やお湯は、小型排水バスポンプか、下の排水口から抜くようにしたものである。
又、狭いアパ−ト等では脱衣所を取外しシャワ−室のみでの使用も可能である。
【発明の開示】
【発明が解決しょうとする課題】
【０００２】  従来のシャワ−やトイレは、固定された状態で使用することを前提としている為水道設備が整っている。しかし、災害時の避難所、海水浴場、キャンプ場、野外コンサ−ト会場、浴室のないアパ−ト等の水道や排水設備が整っていない所ではシャワ−やトイレの設置が容易にできなかった。
又、一般的なシャワ−ル−ムやトイレは、あらかじめ一体構造物として形成してあり、容易に持ち運ぶことができないため、緊急災害時や屋外活動に使用することは、不可能である。従来この種のものとしては、ベニヤ板や樹脂パネルを取付金具や接着剤などで貼り合わせて箱型に形成し、この箱体の内部にシャワ−やトイレを備えた簡単なものがあった。これには、形態をコンパクトにするような機能が備わっておらずトラックの荷台などに載せて搬送しなければならなかった。不使用時においても、収納スペ−スを広く要する不都合があった。
【課題を解決するための手段】
【０００３】  本発明は上記課題を解決するために、屋内はもちろん屋外活動や緊急災害時に迅速かつ簡単に搬送および組立てを行うことが可能であるとともに、不使用時には解体しコンパクトに収納保管しておくことができる構造とした。
水道設備がある所では水道ホ−スや給湯器から上部の貯水タンクに給水を行い、無い所ではポリタンク、やかん、小型水中ポンプ等により給水を行う。又、下部のタンクにたまった水やお湯は、小型排水バスポンプか、下の排水口から抜くようにしたものである。
又、下部タンクを便器を取り付けた汲み取り式トイレタンクにすればトイレとして使用できる。
【発明の効果】
【０００４】  上述したように組立解体可能なコンパクトな形にすれば運搬が容易になり、室内はもちろん、屋外でも使用できる。又、上部貯水タンクと下部排水タンクを使用することにより、水道設備や排水設備がある所はもちろん、無い所でも使用可能となった。
又、狭いアパ−ト等では脱衣所を取り外し、シャワ−室のみでの使用も可能である。そして、室内では防火用水としても使用できる。
【発明を実施するための最良の形態】
【０００５】  本発明は下部排水タンク６の四隅に開けた支柱差込み穴１８にプラスチック製支柱１を建て、四隅に穴を開けた上部給水タンク２を載せる。給湯口３より給水し、シャワ−器具４を取り付けて使用する。シャワ−室は防水シ−ト５で周囲を覆い、シ−トの下端は下部排水タンク６の内側に取り付け、外部への漏水を防ぐ。下部排水タンク６に溜った使用後の水やお湯は小型排水バスポンプ７又は排水口８にて排水する。下部排水タンクの上部は、シャワ−用スノコ９で作成する。そしてシャワ−室の出入りは防水シ−ト５に取付けたシャワ−室出入口用ジッパ−１０の上げ下げにより行う。
脱衣所は軽量スチ−ルパイプ製骨組み１１を組立て、床面には脱衣所スノコ１２を敷き全体を目隠しカバ−１３で覆い、脱衣所の出入りは目隠しカバ−１３に取り付けた脱衣所出入口用ジッパ−１４の上げ下げにより行う。
又、下部排水タンクを便器１５を取り付けた汲み取り式トイレタンク１６にすれば、トイレとして使用できる。
【図面の簡単な説明】
【０００６】
【図１】  本発明の実施形態を示す組立簡易シャワ−ル−ムの全体図である。
【図２】  同組立簡易シャワ−ル−ムの内、シャワ−室の外観図である。
【図３】  トイレとして使用時の下部トイレタンクの外観図である。
【符号の説明】
【０００７】      １  支柱
２  上部給水タンク
３  給湯口
４  シャワ−器具
５  防水シ−ト
６  下部排水タンク
７  小型排水バスポンプ
８  排水口
９  シャワ−用スノコ
１０  シャワ−室出入口用ジッパ−
１１  軽量スチ−ルパイプ製骨組み
１２  脱衣所スノコ
１３  目隠しカバ−
１４  脱衣所出入口用ジッパ−
１５  便器
１６  汲み取り式トイレタンク
１７  汲み取り口
１８  支柱差し込み穴
【図１】
2007044460.tif 000003
【図２】
2007044460.tif 000004
【図３】
2007044460.tif 000005